(57)【要約】【課題】  本発明は、現在設定している撮影パラメータを維持しつつ、撮影可能枚数をユーザの意図する枚数になるように容易に変更できる電子カメラを提供する。【解決手段】  電子カメラは、撮像部と、撮影パラメータ設定部と、表示部と、記録部と、残容量算出部と、撮影可能枚数算出部と、表示制御部とを備える。撮像部は、画像データを生成する。撮影パラメータ設定部は、複数の撮影パラメータを、ユーザ入力により設定可能とする。表示部は、撮影条件を表示する。記録部は、画像データを記録する。残容量算出部は、記録部の残容量を算出する。撮影可能枚数算出部は、残容量と複数の撮影パラメータとを少なくとも含む撮影情報に基づいて、撮影可能枚数を算出する。また、撮影可能枚数算出部は、複数の撮影パラメータの内、何れか１つの撮影パラメータを順次変更した場合の撮影可能枚数を算出し直す。表示制御部は、設定画面の表示内容を制御する。【選択図】    図３
2010074620.tif 000002
【特許請求の範囲】
【請求項１】
被写体像を光電変換して画像データを生成する撮像部と、
前記画像データを生成するための複数の撮影パラメータを、ユーザ入力により設定可能な撮影パラメータ設定部と、
前記複数の撮影パラメータを含む撮影条件を設定するための設定画面と前記画像データに基づく画像とを切り替え可能に表示する表示部と、
前記画像データを記録する記録部と、
前記記録部の残容量を算出する残容量算出部と、
前記残容量と前記複数の撮影パラメータとを少なくとも含む撮影情報に基づいて、静止画像の撮影可能枚数を算出する撮影可能枚数算出部と、
前記設定画面の表示内容を制御する表示制御部と、を備え、
前記撮影可能枚数算出部は、前記複数の撮影パラメータの内、何れか１つの撮影パラメータを順次変更した場合の前記撮影可能枚数を算出し直し、
前記表示制御部は、現在における前記複数の撮影パラメータの設定値及び前記撮影可能枚数を前記設定画面に表示させるとともに、前記撮影可能枚数算出部が算出し直した撮影可能枚数を算出結果に応じて前記設定画面に表示させることを特徴とする電子カメラ。
【請求項２】
請求項１に記載の電子カメラにおいて、
前記表示制御部は、
前記複数の撮影パラメータの設定値を前記設定画面に表示させる第１の表示手段と、
前記撮影可能枚数を前記設定画面に表示させる第２の表示手段と、
前記撮影可能枚数算出部が算出し直した撮影可能枚数を、算出結果に応じて前記設定画面に表示させる第３の表示手段と、を備え、
前記表示制御部は、前記第１乃至３の表示手段の出力を前記設定画面に併せて表示させることを特徴とする電子カメラ。
【請求項３】
請求項１に記載の電子カメラにおいて、
前記記録部は、前記画像データを記録する記録媒体であって、
前記撮影可能枚数算出部は、前記複数の撮影パラメータの設定値とその設定値に基づく前記撮影可能枚数とについて、前記記録媒体の残容量に応じて、選択可能な全ての組み合わせを第１の一覧表として算出することを特徴とする電子カメラ。
【請求項４】
請求項１に記載の電子カメラにおいて、
前記記録部は、前記画像データを記録するバッファメモリであって、
前記撮影可能枚数算出部は、前記撮影情報に基づいて、所定の時間間隔で連続的に静止画像を撮影する連写の撮影可能枚数を算出し、前記複数の撮影パラメータの設定値とその設定値に基づく前記連写の撮影可能枚数とについて、前記バッファメモリの残容量に応じて、選択可能な全ての組み合わせを第２の一覧表として算出することを特徴とする電子カメラ。
【請求項５】
請求項３に記載の電子カメラにおいて、
前記撮影可能枚数算出部は、現在設定されている複数の撮影パラメータの内、何れか１つの撮影パラメータを順次変更した場合の撮影パラメータの組及び撮影可能枚数からなる第１の項目を、前記第１の一覧表から抽出して、第３の一覧表として算出することを特徴とする電子カメラ。
【請求項６】
請求項４に記載の電子カメラにおいて、
前記撮影可能枚数算出部は、現在設定されている複数の撮影パラメータの内、何れか１つの撮影パラメータを順次変更した場合の撮影パラメータの組及び連写の撮影可能枚数からなる第２の項目を、前記第２の一覧表から抽出して、第４の一覧表として算出することを特徴とする電子カメラ。
【請求項７】
請求項５又は請求項６に記載の電子カメラにおいて、
前記撮影可能枚数算出部は、前記第３の一覧表を参照し、前記撮影可能枚数を基準として前記第１の項目を昇順若しくは、降順に並べ替え、又は、前記第４の一覧表を参照し、前記連写の撮影可能枚数を基準として前記第２の項目を昇順若しくは、降順に並べ替えることを特徴とする電子カメラ。
【請求項８】
請求項５又は請求項６に記載の電子カメラにおいて、
前記撮影可能枚数算出部は、前記第３の一覧表を参照し、現在の撮影可能枚数よりも多い撮影可能枚数を抽出し、又は、前記第４の一覧表を参照し、現在の連写の撮影可能枚数よりも多い連写の撮影可能枚数を抽出することを特徴とする電子カメラ。
【請求項９】
請求項５又は請求項６に記載の電子カメラにおいて、
前記撮影可能枚数算出部は、前記第３の一覧表を参照し、現在の撮影可能枚数と同じ枚数の撮影可能枚数を抽出し、又は、前記第４の一覧表を参照し、現在の連写の撮影可能枚数と同じ枚数の連写の撮影可能枚数を抽出することを特徴とする電子カメラ。
【請求項１０】
請求項５又は請求項６に記載の電子カメラにおいて、
前記撮影可能枚数算出部は、前記第３の一覧表を参照し、ユーザ入力により指定された撮影可能枚数の値以上の撮影可能枚数を抽出し、又は、前記第４の一覧表を参照し、ユーザ入力により指定された連写の撮影可能枚数の値以上である連写の撮影可能枚数を抽出することを特徴とする電子カメラ。
【発明の詳細な説明】
【技術分野】
【０００１】
本発明は、電子カメラに関し、特に、画像データを生成するための撮影パラメータを設定するユーザインターフェースを備える電子カメラに関する。
【背景技術】
【０００２】
従来、画像データを生成するための撮影パラメータを設定するユーザインターフェースを備える電子カメラが知られている。例えば、ユーザが画質の設定を行う場合、先ず、撮影パラメータとして画素数と圧縮率とを二次元配列形式で表示モニタの設定画面に表示し、さらに、記録媒体の残容量から算出される撮影可能枚数等を合わせて表示する電子カメラが提案されている（例えば、特許文献１参照）。
【特許文献１】特開２００１−３４６０７５号公報
【発明の開示】
【発明が解決しようとする課題】
【０００３】
特許文献１の電子カメラでは、画素数と圧縮率との組み合わせを二次元配列形式で全て設定画面に表示させるが、他の撮影パラメータも組み合わせて設定画面に表示させようとすると設定画面に収まらなくなったり、表示内容が乱雑になったり、ユーザにとってはわかりにくくなる。
【０００４】
さらに、近年の電子カメラにおいては、撮影パラメータが複雑化し、撮影パラメータの設定が容易でなくなってきている。また、ユーザが撮影パラメータを指定した後、静止画の撮影可能枚数や連写の撮影可能枚数が決定されるものの、必ずしも、ユーザの意図した枚数になるとは限らない。
【０００５】
そこで、本発明は、上記事情に鑑み、現在設定している撮影パラメータを維持しつつ、撮影可能枚数をユーザの意図する枚数になるように容易に変更できる電子カメラを提供することを目的とする。
【課題を解決するための手段】
【０００６】
第１の発明に係る電子カメラは、撮像部と、撮影パラメータ設定部と、表示部と、記録部と、残容量算出部と、撮影可能枚数算出部と、表示制御部と、を備える。撮像部は、被写体像を光電変換して画像データを生成する。撮影パラメータ設定部は、画像データを生成するための複数の撮影パラメータを、ユーザ入力により設定可能とする。表示部は、複数の撮影パラメータを含む撮影条件を設定するための設定画面と画像データに基づく画像とを切り替え可能に表示する。記録部は、画像データを記録する。残容量算出部は、記録部の残容量を算出する。撮影可能枚数算出部は、残容量と複数の撮影パラメータとを少なくとも含む撮影情報に基づいて、静止画像の撮影可能枚数を算出する。又、撮影可能枚数算出部は、複数の撮影パラメータの内、何れか１つの撮影パラメータを順次変更した場合の撮影可能枚数を算出し直す。表示制御部は、現在における複数の撮影パラメータの設定値及び撮影可能枚数を設定画面に表示させるとともに、撮影可能枚数算出部が算出し直した撮影可能枚数を算出結果に応じて設定画面に表示させる。
【０００７】
第２の発明は、第１の発明において、表示制御部は、複数の撮影パラメータの設定値を設定画面に表示させる第１の表示手段と、撮影可能枚数を設定画面に表示させる第２の表示手段と、撮影可能枚数算出部が算出し直した撮影可能枚数を設定画面に表示させる第３の表示手段と、を備える。表示制御部は、第１〜第３の表示手段の出力を設定画面に併せて表示させる。
【０００８】
第３の発明は、第１の発明において、記録部は、画像データを記録する記録媒体である。撮影可能枚数算出部は、複数の撮影パラメータの設定値とその設定値に基づく撮影可能枚数とについて、記録媒体の残容量に応じて、選択可能な全ての組み合わせを第１の一覧表として算出する。
【０００９】
第４の発明は、第１の発明において、記録部は、画像データを記録するバッファメモリであって、撮影可能枚数算出部は、撮影情報に基づいて、所定の時間間隔で連続的に静止画像を撮影する連写の撮影可能枚数を算出する。また、撮影可能枚数算出部は、複数の撮影パラメータの設定値とその設定値に基づく連写の撮影可能枚数とについて、バッファメモリの残容量に応じて、選択可能な全ての組み合わせを第２の一覧表として算出する。
【００１０】
第５の発明は、第３の発明において、撮影可能枚数算出部は、現在設定されている複数の撮影パラメータの内、何れか１つの撮影パラメータを順次変更した場合の撮影パラメータの組及び撮影可能枚数からなる第１の項目を、第１の一覧表から抽出して、第３の一覧表として算出する。
【００１１】
第６の発明は、第４の発明において、撮影可能枚数算出部は、現在設定されている複数の撮影パラメータの内、何れか１つの撮影パラメータを順次変更した場合の撮影パラメータの組及び連写の撮影可能枚数からなる第２の項目を、第２の一覧表から抽出して、第４の一覧表として算出する。
【００１２】
第７の発明は、第５の発明において、撮影可能枚数算出部は、第３の一覧表を参照し、撮影可能枚数を基準として第１の項目を昇順若しくは、降順に並べ替える。又、第７の発明は、第６の発明において、撮影可能枚数算出部は、第４の一覧表を参照し、連写の撮影可能枚数を基準として第２の項目を昇順若しくは、降順に並べ替える。
【００１３】
第８の発明は、第５の発明において、撮影可能枚数算出部は、第３の一覧表を参照し、現在の撮影可能枚数よりも多い撮影可能枚数を抽出する。又、第８の発明は、第６の発明において、第４の一覧表を参照し、現在の連写の撮影可能枚数よりも多い連写の撮影可能枚数を抽出する。
【００１４】
第９の発明は、第５の発明において、撮影可能枚数算出部は、第３の一覧表を参照し、現在の撮影可能枚数と同じ枚数の撮影可能枚数を抽出する。又、第９の発明は、第６の発明において、撮影可能枚数算出部は、第４の一覧表を参照し、第４の一覧表を参照し、現在の連写の撮影可能枚数と同じ枚数の連写の撮影可能枚数を抽出する。
【００１５】
第１０の発明は、第５の発明において、撮影可能枚数算出部は、第３の一覧表を参照し、ユーザ入力により指定された撮影可能枚数の値以上の撮影可能枚数を抽出する。又、第１０の発明は、第６の発明において、第４の一覧表を参照し、ユーザ入力により指定された連写の撮影可能枚数の値以上である連写の撮影可能枚数を抽出する。
【発明の効果】
【００１６】
本発明の電子カメラによれば、現在設定している撮影パラメータを維持しつつ、撮影可能枚数をユーザの意図する枚数になるように容易に変更できる。
【発明を実施するための最良の形態】
【００１７】
（第１実施形態）
以下、図面に基づいて本発明の実施の形態を詳細に説明する。
【００１８】
図１は、第１実施形態の電子カメラ１の背面図である。この電子カメラ１の背面には、光学ファインダ２と、液晶の表示モニタ１７と、十字ボタン３と、電源ボタン４、ヘルプボタン５とが備えられている。また、この電子カメラ１の上面には、レリーズボタン６が備えられている。
【００１９】
光学ファインダ２は、被写体像を観察するものである。表示モニタ１７は、静止画像、スルー画像及び電子カメラ１の操作メニューの設定画面等を表示する。操作メニューの設定画面については後述する。十字ボタン３は、撮影や再生などに使用されるメニューを自在に切り替えてコマンドを選択若しくは実行する操作ボタンである。ヘルプボタン５は、電子カメラ１の操作内容等のメッセージを表示モニタ１７に表示させる操作ボタンである。
【００２０】
次に、図１に示す、表示モニタ１７の設定画面の内容について説明する。この表示モニタ１７は、複数の撮影パラメータを含む撮影条件を設定するための設定画面と画像データに基づく画像とを切り替え可能に表示することができる。ユーザは、設定画面のユーザインターフェースを介して、撮影パラメータを設定することができる。ここで、撮影パラメータの一例として、「画像フォーマット」、「画質」、「画像サイズ」、「Ａｃｔｉｖｅ  Ｄ  Ｌｉｇｈｔｉｎｇ」、「ノイズ低減」及び「撮影範囲」が存在する。
【００２１】
図２は、撮影パラメータと各設定値との関係を示す図である。下線を引いている設定値（太字）が現在の撮影パラメータを表している。
【００２２】
画像フォーマットの設定値には、「Ｊｐｅｇ」と「Ｒａｗ」とがある。Ｊｐｅｇは、圧縮画像ファイルの一例であって、Ｊｏｉｎｔ  ｐｈｏｔｏｇｒａｐｈｉｃ  ｅｘｐｅｒｔｓ  ｇｒｏｕｐのファイル形式を表す。また、Ｒａｗは、生データを表す。
【００２３】
画質の設定値には、「Ｆｉｎｅ」と、「Ｎｏｒｍａｌ」と、「Ｂａｓｉｃ」とがある。Ｆｉｎｅは、高画質を表し、Ｂａｓｉｃは、低画質を表す。また、Ｎｏｒｍａｌは、ＦｉｎｅとＢａｓｉｃとの中間の画質を表す。
【００２４】
画像サイズの設定値には、記録画素数として、いわゆる「Ｌ」と、「Ｍ」と、「Ｓ」とがある。
【００２５】
Ａｃｔｉｖｅ  Ｄ  Ｌｉｇｈｔｉｎｇの設定値には、「Ｏｎ」と「Ｏｆｆ」とがある。このＡｃｔｉｖｅ  Ｄ  Ｌｉｇｈｔｉｎｇ（以下、単に「ＡＤＬ」という）は、目で見た印象に近いコントラストに自動補正して記録する機能である。ノイズ低減の設定値には、「Ｏｎ」と「Ｏｆｆ」とがある。
【００２６】
撮影範囲の設定値には、画素サイズとして「ＦＸ」フォーマットと「ＤＸ」フォーマットとがある。ＦＸフォーマット（３６×２４）は、３５ｍｍ判カメラに準じた画角で撮影するための設定値である。また、ＤＸフォーマット（２４×１６）は、レンズで表記されている焦点距離の約１.５倍のレンズに相当する画角で撮影するための設定値である。
【００２７】
図１の設定画面では、画像フォーマットの設定値：Ｊｐｅｇ、画質の設定値：Ｎｏｒｍａｌ、画像サイズの設定値：Ｍ、ＡＤＬの設定値：Ｏｎ、ノイズ低減の設定値：Ｏｆｆ、撮影範囲の設定値：ＦＸになっている。撮影可能枚数、連続撮影可能枚数については後述する。なお、図１には、上述した撮影パラメータ以外にも、他の撮影条件の撮影パラメータも表示可能であるが、後述するフローチャートには直接利用しないので、ここでは説明を省略する。
【００２８】
図３は、第１実施形態の電子カメラ１の構成を示すブロック図である。図３に示す通り電子カメラ１には、撮影レンズ１０と、撮像部１１と、画像処理部１２と、ＲＡＭ（Ｒａｎｄｏｍ  Ａｃｃｅｓｓ  Ｍｅｍｏｒｙ）１３と、ＲＯＭ（Ｒｅａｄ  Ｏｎｌｙ  Ｍｅｍｏｒｙ）１４と、操作部１５と、ＣＰＵ（Ｃｅｎｔｒａｌ  Ｐｒｏｃｅｓｓｉｎｇ  Ｕｎｉｔ）１６と、表示モニタ１７と、記録インターフェース（記録Ｉ／Ｆ）１８と、記録媒体１９と、バス２０とが備えられている。このうち画像処理部１２、ＲＡＭ１３、ＲＯＭ１４、ＣＰＵ１６、表示モニタ１７及び記録インターフェース（記録Ｉ／Ｆ）１８は、バス２０を介して互いに接続されている。また、操作部１５はＣＰＵ１６に接続されている。
【００２９】
撮影レンズ１０は、ズームレンズと、フォーカスレンズとを含む複数のレンズ群で構成されている。簡単のため、図３では、撮影レンズ１０を１枚のレンズとして図示する。
【００３０】
撮像部１１は、被写体像を光電変換することにより、画像データを生成する。被写体の撮影を行う撮影モードでは、撮像部１１は、撮影時に記録用の画像を出力する。また、撮影待機時には、撮像部１１は、所定時間経過ごとに構図確認用のスルー画像を出力する。また、撮像部１１は、アナログ信号をデジタル信号に変換する。撮像部１１が出力するデジタル信号（ＲＧＢ信号）は、ＲＡＭ１３のバッファメモリ１３ａに一時的に記録される。
【００３１】
画像処理部１２は、ＲＧＢ信号の画像データを輝度（Ｙ）と色（Ｃ）とで表されるＹＣ信号の画像データに変換する。また、画像処理部１２は、バッファメモリ１３ａに記録されている画像データに対してホワイトバランス補正処理、ゲインコントロール処理などの画像処理を行う。
【００３２】
ＲＯＭ１４は、電子カメラ１の制御を行うプログラム等を予め記憶しているメモリである。
【００３３】
操作部１５は、既に図１で説明した電子カメラ１の背面及び上面に備えられている各操作ボタン（十字ボタン３、電源ボタン４、ヘルプボタン５及びレリーズボタン６）の操作を受け付けてＣＰＵ１６に処理の命令を出す。
【００３４】
ＣＰＵ１６は、電子カメラ１の制御を行うプロセッサである。ＣＰＵ１６は、ＲＯＭ１４に予め格納されたシーケンスプログラムを実行することにより、各処理のパラメータを算出したり、電子カメラ１の各部を制御したりする。また、本実施形態のＣＰＵ１６は、撮影パラメータ設定部１６ａと、残容量算出部１６ｂと、撮影可能枚数算出部１６ｃと、表示制御部１６ｄとしても機能する。
【００３５】
撮影パラメータ設定部１６ａは、上述した、画像フォーマットや画質等の撮影パラメータの内から任意の撮影パラメータを、ユーザ入力により設定する（詳細は後述する）。
【００３６】
残容量算出部１６ｂは、記録媒体１９の残容量やバッファメモリ１３ａの残容量を算出する。
【００３７】
撮影可能枚数算出部１６ｃは、記録媒体１９の残容量と複数の撮影パラメータとを少なくとも含む撮影情報に基づいて、静止画像の撮影可能枚数を算出する。
【００３８】
この場合、撮影可能枚数算出部１６ｃは、複数の撮影パラメータの設定値とその設定値に基づく撮影可能枚数とについて、記録媒体１９の残容量に応じて、選択可能な全ての組み合わせを第１の一覧表として算出する。なお、第１の一覧表の詳細については後述する。
【００３９】
また、撮影可能枚数算出部１６ｃは、撮影情報に基づいて、所定の時間間隔で連続的に静止画像を撮影する連写の撮影可能枚数（以下、「連続撮影可能枚数」という）を算出し、複数の撮影パラメータの設定値とその設定値に基づく連続撮影可能枚数とについて、バッファメモリ１３ａの残容量に応じて、選択可能な全ての組み合わせを第２の一覧表として算出する。なお、第２の一覧表の詳細については後述する。
【００４０】
また、撮影可能枚数算出部１６ｃは、複数の撮影パラメータの内、何れか１つの撮影パラメータを順次変更した場合の撮影可能枚数若しくは連続撮影可能枚数を算出し直す。なお、説明の便宜上、ＲＡＷデータについては対象から除くものとする。
【００４１】
また、撮影可能枚数算出部１６ｃは、現在設定されている複数の撮影パラメータの内、何れか１つの撮影パラメータを順次変更したときの撮影パラメータの組及び撮影可能枚数からなる第１の項目を、第１の一覧表から抽出して、第３の一覧表として算出する。ここで、撮影パラメータの組とは、複数の撮影パラメータであって、本実施形態では、画像フォーマット、画質、画像サイズ、ＡＤＬ、ノイズ低減及び撮影範囲とする。つまり、撮影可能枚数算出部１６ｃは、画像フォーマットの設定値を変更した場合の撮影可能枚数を算出して、第３の一覧表に書き込む。以下、同様にして、撮影可能枚数算出部１６ｃは、撮影パラメータを１つずつ順次変更した場合の撮影可能枚数を算出して、第３の一覧表に書き込む。
【００４２】
また、撮影可能枚数算出部１６ｃは、現在設定されている複数の撮影パラメータの内、何れか１つの撮影パラメータを変更した場合の撮影パラメータの組及び連写の撮影可能枚数からなる第２の項目を、第２の一覧表から抽出して、第４の一覧表として算出する。なお、第３の一覧表、第４の一覧表の詳細についても後述する。
【００４３】
また、撮影可能枚数算出部１６ｃは、第３の一覧表を参照し、撮影可能枚数を基準として第１の項目を昇順若しくは、降順に並べ替える。また、撮影可能枚数算出部１６ｃは、第４の一覧表を参照し、連続撮影可能枚数を基準として第２の項目を昇順若しくは、降順に並べ替える。
【００４４】
また、撮影可能枚数算出部１６ｃは、第３の一覧表を参照し、現在の撮影可能枚数よりも多い撮影可能枚数を抽出する。また、撮影可能枚数算出部１６ｃは、第４の一覧表を参照し、連続撮影可能枚数よりも多い連続撮影可能枚数を抽出する。
【００４５】
表示制御部１６ｄは、表示モニタ１７の設定画面の表示内容を制御する。この表示制御部１６ｄは、複数の撮影パラメータの設定値を設定画面に表示させる第１の表示手段と、撮影可能枚数や連続撮影可能枚数を設定画面に表示させる第２の表示手段と、撮影可能枚数算出部１６ｃが算出し直した撮影可能枚数や連続撮影可能枚数を、算出結果に応じて設定画面に表示させる第３の表示手段と、を備える。
【００４６】
例えば、表示制御部１６ｄは、現在における複数の撮影パラメータの設定値及び撮影可能枚数や連続撮影可能枚数を設定画面に表示させる。さらに、表示制御部１６ｄは、撮影可能枚数算出部１６ｃが算出し直した撮影可能枚数や連続撮影可能枚数を、算出結果に応じて同一の設定画面に表示させる。これにより、表示制御部１６ｄは、第１〜第３の表示手段の出力を設定画面に併せて表示させることができる。
【００４７】
記録インターフェース（記録Ｉ／Ｆ）１８には、記録媒体１９を接続するためのコネクタが形成されている。記録インターフェース（記録Ｉ／Ｆ）１８は、ＣＰＵ１６からの指示により、そのコネクタに接続された記録媒体１９にアクセスして画像の記録処理を行う。
【００４８】
次に、電子カメラ１の撮影パラメータの設定における一連の動作を説明する。ここでは、先ず、電源がＯｎされた後、さらに、ユーザが、十字ボタン３で撮影可能枚数を設定するモードを選択した後に開始される電子カメラ１の内部処理について説明する。
【００４９】
図４は、撮影パラメータの設定における電子カメラ１の内部処理の動作を表すフローチャートである。このフローチャートは、ユーザが、図１に示す十字ボタン３で撮影可能枚数を設定するモードを選択すると開始する。
【００５０】
ステップＳ１０１：ＣＰＵ１６（残容量算出部１６ｂ）は、記録インターフェース（記録Ｉ／Ｆ）１８を介して、記録媒体１９の空き領域（残容量）を算出する。また、残容量算出部１６ｂは、バッファメモリ１３ａの残容量を算出する。
【００５１】
ステップＳ１０２：ＣＰＵ１６は、撮影可能枚数を算出するのに必要な現在の撮影パラメータの設定値を取得する。この場合、ＣＰＵ１６は、画像フォーマット、画質、画像サイズ、ＡＤＬ、ノイズ低減及び撮影範囲を撮影パラメータとして、これらの設定値を取得する。
【００５２】
ステップＳ１０３：ＣＰＵ１６（撮影可能枚数算出部１６ｃ）は、記録媒体１９の残容量と、ステップＳ１０２で取得した撮影パラメータとに基づいて、公知の技術により静止画像の撮影可能枚数を算出する。また、ＣＰＵ１６（撮影可能枚数算出部１６ｃ）は、バッファメモリ１３ａの残容量、ステップＳ１０２で取得した撮影パラメータ、これらの撮影パラメータによって決定される画像処理時間、シャッタスピード及び記録媒体１９への転送速度に基づいて、公知の技術により連続撮影可能枚数を算出する。
【００５３】
ステップＳ１０４：ＣＰＵ１６（表示制御部１６ｄ）は、表示モニタ１７の設定画面にて、現在の撮影可能枚数、連続撮影可能枚数を更新させる。図１では、一例として、ステップＳ１０４の処理がなされた後の状態が設定画面で表示されている。すなわち、撮影可能枚数は、現在、残り６枚である。また、連続撮影可能枚数は、現在、残り１３枚である。
【００５４】
ステップＳ１０５：ＣＰＵ１６（撮影可能枚数算出部１６ｃ）は、ステップＳ１０２で取得した現在の撮影パラメータの設定値と、その設定値に基づく撮影可能枚数とについて、記録媒体１９の残容量に応じて、選択可能な全ての組み合わせを第１の一覧表として算出する。
【００５５】
図５〜図７は、第１の一覧表の一例を説明する図である。図５は、記録媒体１９の容量が１Ｇバイトにおける第１の一覧表の一例を説明する図である。図６は、記録媒体１９の容量が１００Ｍバイトにおける第１の一覧表の一例を説明する図である。図７は、記録媒体１９の容量が１２.５Ｍバイトにおける第１の一覧表の一例を説明する図である。
【００５６】
図５〜図７の第１の一覧表に示す通り、記録媒体１９の残容量に応じて、全ての撮影パラメータ（画像フォーマット、画質、画像サイズ、ＡＤＬ、ノイズ低減及び撮影範囲を撮影パラメータ）の設定値の組み合わせにおける撮影可能枚数が算出されることとなる。
【００５７】
また、ＣＰＵ１６の撮影可能枚数算出部１６ｃは、ステップＳ１０２で取得した現在の撮影パラメータの設定値とその設定値に基づく連続撮影可能枚数とについて、バッファメモリ１３ａの残容量に応じて、選択可能な全ての組み合わせを第２の一覧表として算出する。
【００５８】
図８は、第２の一覧表の一例を説明する図である。図８の第２の一覧表に示す通り、バッファメモリ１３ａの残容量に応じて、全ての撮影パラメータ（画像フォーマット、画質、画像サイズ、ＡＤＬ、ノイズ低減及び撮影範囲を撮影パラメータ）の設定値のパターンにおける連続撮影可能枚数が算出されることとなる。なお、図５〜図８において、説明の便宜上、ＲＡＷデータの項目については、一例を記載している。
【００５９】
ステップＳ１０６：ＣＰＵ１６（撮影可能枚数算出部１６ｃ）は、電源がＯｎされた後の記録媒体１９やバッファメモリ１３ａの残容量に応じて、第１の一覧表と第２の一覧表とをそれぞれ更新する。
【００６０】
以上より、電源がＯｎされた後、撮影パラメータの設定における電子カメラ１の内部処理が終了する。
【００６１】
次に、図１に示す撮影可能枚数若しくは連続撮影可能枚数を変更する場合における電子カメラ１の動作について説明する。ここでは、先ず、撮影可能枚数を変更する場合について説明する。
【００６２】
図９は、撮影可能枚数の選択画面を表示するまでの電子カメラ１の内部処理の動作を表すフローチャートである。ここで、ユーザが、図１に示す設定画面において、十字ボタン３を操作することにより、先ず、撮影可能枚数の項目が太字の黒枠１７ａで表示される。続いて、ユーザが、撮影可能枚数の項目を十字ボタン３のＯＫボタンを押下すると、この図９に示すフローチャートは開始する。なお、記録媒体１９は、１２.５Ｍバイトの記録容量とする。
【００６３】
ステップＳ２０１：ＣＰＵ１６は、現在設定されている複数の撮影パラメータの設定値を取得して、ＲＡＭ１３に一時記録する。すなわち、ＣＰＵ１６は、画像フォーマット、画質、画像サイズ、ＡＤＬ、ノイズ低減及び撮影範囲の設定値を取得して、ＲＡＭ１３に一時記録する。ここでは、一例として、現在設定されている撮影パラメータの設定値は、画像フォーマットの設定値：Ｊｐｅｇ、画質の設定値：Ｎｏｒｍａｌ、画像サイズの設定値：Ｍ、ＡＤＬの設定値：Ｏｎ、ノイズ低減の設定値：Ｏｆｆ、撮影範囲の設定値：ＦＸとする。
【００６４】
ステップＳ２０２：ＣＰＵ１６（撮影可能枚数算出部１６ｃ）は、複数の撮影パラメータの内、１つの撮影パラメータを変更対象として選択する。つまり、撮影可能枚数算出部１６ｃは、画像フォーマット、画質、画像サイズ、ＡＤＬ、ノイズ低減、撮影範囲を変更対象として順番に選択する。なお、選択する順番は任意であってよい。
【００６５】
ステップＳ２０３：ＣＰＵ１６は、全ての撮影パラメータについてチェックしたかの判定を行う。全てチェックした場合（ステップＳ２０３：Ｙｅｓ）、この処理ルーチンは、ステップＳ２０４に進む。一方、全てチェックしていない場合（ステップＳ２０３：Ｎｏ）、この処理ルーチンは、ステップＳ２０７に進む。ここでは、説明の便宜上、先にステップＳ２０７〜ステップＳ２１０の処理について説明する。
【００６６】
ステップＳ２０７：ＣＰＵ１６（撮影可能枚数算出部１６ｃ）は、変更対象の撮影パラメータの設定値における項目を順次変更する。つまり、画像サイズの場合を例にすると、設定値の項目は、Ｌと、Ｍと、Ｓとがある。ここで、現在の設定値が、Ｍであるので、撮影可能枚数算出部１６ｃは、例えば、画像サイズの設定値をＭからＬに変更する。
【００６７】
ステップＳ２０８：ＣＰＵ１６は、変更対象の撮影パラメータにおける現在の設定値以外の設定値について、全ての設定値の項目を変更したか否かの判定を行う。全ての設定値の項目を変更していない場合（ステップＳ２０８：Ｎｏ）、この処理ルーチンは、ステップＳ２０９に進む。
【００６８】
ステップＳ２０９：ＣＰＵ１６（撮影可能枚数算出部１６ｃ）は、図７に示す第１の一覧表を参照し、画像サイズＬにして、他の撮影パラメータは変更しない場合における撮影可能枚数を取得する。この場合、撮影可能枚数は４枚となる。そこで、撮影可能枚数算出部１６ｃは、撮影パラメータの組として、画像サイズのみをＭからＬに変更した場合の撮影パラメータの組（画像フォーマット：Ｊｐｅｇ、画質：Ｎｏｒｍａｌ、画像サイズ：Ｌ、ＡＤＬ：Ｏｎ、ノイズ低減：Ｏｆｆ、撮影範囲：ＦＸ）と、撮影可能枚数（４枚）とを図１１に示す第３の一覧表の項目に追加する。
【００６９】
図１０は、第３の一覧表の一例を説明する図である。なお、図１０は、ステップＳ２０３にて、全ての撮影パラメータについてチェックし終えた後の状態を示している。また、説明をわかりやすくするため、現在の撮影パラメータの設定値（太字の下線）についても併せて表記している。ここで、第３の一覧表の一行が、１つの項目（撮影パラメータの組と撮影可能枚数）を表している。撮影パラメータの設定値（下線のない太字）は、変更対象の撮影パラメータの設定値を表している（以下、同じ）。
【００７０】
撮影可能枚数算出部１６ｃが、変更した場合の撮影パラメータの組及び撮影可能枚数からなる項目（第１の項目）を第３の一覧表の項目に追加すると、再び、この処理ルーチンは、ステップＳ２０７に戻る。ステップＳ２０７では、撮影可能枚数算出部１６ｃは、画像サイズの設定値をＭからＳに変更する。そして、ステップＳ２０８に進み、この場合は、画像サイズ（Ｓ）については、まだチェックし終えていないため、ステップＳ２０９に進む。
【００７１】
ステップＳ２０９では、撮影可能枚数算出部１６ｃは、図７に示す第１の一覧表を参照し、画像サイズＳにして、他の撮影パラメータは変更しない場合における撮影可能枚数を取得する。この場合、撮影可能枚数は１５枚となる。そこで、撮影可能枚数算出部１６ｃは、撮影パラメータの組として、画像サイズのみをＭからＳに変更した場合の撮影パラメータの組（画像フォーマット：Ｊｐｅｇ、画質：Ｎｏｒｍａｌ、画像サイズ：Ｓ、ＡＤＬ：Ｏｎ、ノイズ低減：Ｏｆｆ、撮影範囲：ＦＸ）と、撮影可能枚数（１５枚）との項目を図１０に示す第３の一覧表の項目に追加する。そして、この処理ルーチンは、ステップＳ２０７に戻る。
【００７２】
ステップＳ２０７では、撮影可能枚数算出部１６ｃは、変更する設定値の項目はないため、ステップＳ２０８に進み、変更対象となる全ての設定値の項目（画像サイズ）を変更したため（ステップＳ２０８：Ｙｅｓ）、この処理ルーチンは、ステップＳ２１０に進む。
【００７３】
ステップＳ２１０：ＣＰＵ１６は、ＲＡＭ１３に一時記録している第１の一覧表を作成（算出）開始時の撮影パラメータの設定値に戻す。上述した例では、画像サイズを、Ｍから、Ｌ、Ｓと変更した場合についてチェックしたので、画像サイズをＭに戻すことを意味する。これは、ＣＰＵ１６の内部処理で、第１の一覧表を参照して、パラメータを変更した場合、その状態が現在の撮影パラメータとするため、元に戻す必要が生じるためである。
【００７４】
ＣＰＵ１６は、１つの撮影パラメータをチェックし終えたので、この処理ルーチンは、ステップＳ２０２に戻る。ステップＳ２０２では、変更する撮影パラメータとして、画像サイズ以外の撮影パラメータ（画像フォーマット、画質、ＡＤＬ、ノイズ低減、撮影範囲）の内、１つを選択して、画像サイズの場合と同様、ステップＳ２０３、ステップ２０７〜ステップＳ２１０の処理を順次行う。このようにして、全ての撮影パラメータについて、チェックが終了すると（ステップＳ２０３：Ｙｅｓ）、この処理ルーチンは、ステップＳ２０４に進む。この場合、図１０に示した第３の一覧表が作成（算出）される。
【００７５】
ステップＳ２０４：ＣＰＵ１６（撮影可能枚数算出部１６ｃ）は、作成された第３の一覧表において、撮影可能枚数を基準にして項目を降順に並べ替える。なお、昇順に並べ替えてもよい。ここでは、撮影パラメータの設定値のレベルダウンを極力抑えるには、昇順の方が好ましい。あるいは、撮影可能枚数を大幅に多くしたい場合には、降順の方が好ましい。
【００７６】
図１１は、第３の一覧表を降順に並べ替えた場合の図である。なお、説明の便宜上、現在の撮影パラメータも併せて表記している。
【００７７】
ステップＳ２０５：ＣＰＵ１６（撮影可能枚数算出部１６ｃ）は、図１１を参照し、現在の撮影可能枚数より多い撮影可能枚数の項目を抽出する。この場合、現在の撮影可能枚数が６枚であるため、図１２に示すように、６枚以下の項目は削除される。
【００７８】
図１２は、現在の撮影可能枚数より多い撮影可能枚数の項目を列挙した図である。なお、説明の便宜上、現在の撮影パラメータも併せて表記している。
【００７９】
ステップＳ２０６：ＣＰＵ１６（表示制御部１６ｄ）は、図１２の点線枠で囲った項目を抽出し、変更対象の撮影パラメータの設定値と、変更後における撮影可能枚数のみを表示モニタ１７の設定画面に表示させる。そして、図９に示す処理ルーチンは終了する。
【００８０】
図１３は、撮影可能枚数を選択するための撮影可能枚数選択画面の一例を説明する図である。なお、表示項目が万一、設定画面に収まりきれない場合は、図１３に示すスクロールバー１７ｂを図１に示す十字ボタン３で操作することにより表示してもよい。表示モニタ１７の設定画面において、黒枠１７ａ内が現在、ユーザが変更可能な状態を表している。この状態で、ユーザが、十字ボタン３で画像サイズをＭからＳに変更する確定操作を行うと、ＣＰＵ１６（撮影パラメータ設定部１６ａ）は、画像サイズをＭからＳに変更した撮影パラメータをユーザ入力により設定する。これにより、上述した例で言うと、変更後の撮影パラメータの設定値は、画像フォーマットの設定値：Ｊｐｅｇ、画質の設定値：Ｎｏｒｍａｌ、画像サイズの設定値：Ｓ、ＡＤＬの設定値：Ｏｎ、ノイズ低減の設定値：Ｏｆｆ、撮影範囲の設定値：ＦＸとなる。そして、撮影可能枚数は、６枚から１５枚になる。なお、ユーザが、十字ボタン３で、設定画面中、キャンセルの項目を確定操作すると、設定画面が切り替わり、図１に示す設定画面に戻る。また、設定画面中、撮影パラメータＵｐの項目が表示されているが、ユーザが、十字ボタン３で、設定画面中、撮影パラメータＵｐの項目を確定操作すると、第２実施形態で説明する内容に移行する。詳細については後述する。
【００８１】
次に連続撮影可能枚数の設定変更について、図９のフローチャートを流用して説明する。この場合、ステップＳ２０４の処理が、「作成された第４の一覧表において連続撮影可能枚数を基準として、降順（昇順）に並べ替える」となる。また、ステップＳ２０９の処理が、「第２の一覧表から変更後の撮影パラメータにおける連続撮影可能枚数を取得し、第４の一覧表に追加する」となる。さらに、ステップＳ２１０の処理が、「ＲＡＭ１３に一時記録している「第２の一覧表作成開始時」の撮影パラメータの設定値に戻す」となる。それ以外は、基本的に同様である。そこで、ステップＳ２０４、ステップＳ２０９及びステップＳ２１０の処理について、説明する。なお、説明の便宜上、ステップＳ２０９、ステップＳ２１０、ステップＳ２０４の順番で説明する。
【００８２】
ステップＳ２０９：ＣＰＵ１６（撮影可能枚数算出部１６ｃ）は、図８に示す第２の一覧表を参照し、変更後の撮影パラメータにおける連続撮影可能枚数を取得し、第４の一覧表に追加する。
【００８３】
図１４は、第４の一覧表の一例を説明する図である。例えば、先ほど説明した、画像サイズを例にすると、以下の通りになる。画像サイズをＭからＬに変更すると、第２の一覧表から、画像サイズＬにして、他の撮影パラメータは変更しない場合における連続撮影可能枚数を取得する。この場合、連続撮影可能枚数は１０枚となる。そこで、撮影可能枚数算出部１６ｃは、撮影パラメータの組として、変更した場合の撮影パラメータの組（画像フォーマット：Ｊｐｅｇ、画質：Ｎｏｒｍａｌ、画像サイズ：Ｌ、ＡＤＬ：Ｏｎ、ノイズ低減：Ｏｆｆ、撮影範囲：ＦＸ）と、連続撮影可能枚数（１０枚）とを図１４に示す第４の一覧表の項目に追加する。このようにして、全ての設定値の項目を変更した場合（ステップＳ２０８：Ｙｅｓ）、この処理ルーチンは、ステップＳ２１０に進む。
【００８４】
ステップＳ２１０：ＣＰＵ１６は、ＲＡＭ１３に一時記録している第２の一覧表を作成（算出）開始時の撮影パラメータの設定値に戻す。ＣＰＵ１６は、１つの撮影パラメータをチェックし終えたので、この処理ルーチンは、ステップＳ２０２に戻る。ステップＳ２０２では、変更するパラメータとして、画像サイズ以外の撮影パラメータ（画像フォーマット、画質、ＡＤＬ、ノイズ低減、撮影範囲）の内、１つを選択して、画像サイズの場合と同様、ステップＳ２０３、ステップ２０７〜ステップＳ２１０の処理を順次行う。このようにして、全ての撮影パラメータについて、チェックが終了すると（ステップＳ２０３：Ｙｅｓ）、この処理ルーチンは、ステップＳ２０４に進む。この場合、図１４に示した第４の一覧表が作成（算出）される。
【００８５】
ステップＳ２０４：ＣＰＵ１６（撮影可能枚数算出部１６ｃ）は、作成された第４の一覧表において、連続撮影可能枚数を基準にして項目を降順に並べ替える。なお、昇順に並べ替えてもよい。そして、ステップＳ２０５の処理が実行された後、ステップＳ２０６の処理が実行される。この場合、ＣＰＵ１６（表示制御部１６ｄ）は、変更対象の撮影パラメータの設定値と、変更後における連続撮影可能枚数のみを表示モニタ１７の設定画面に表示させる。そして、図９に示す処理ルーチンは終了する。
【００８６】
図１５は、連続撮影可能枚数を選択するための連続撮影可能枚数選択画面の一例を説明する図である。表示モニタ１７の設定画面において、黒枠１７ａ内が現在、ユーザが変更可能な状態を表している。なお、図１に示す十字ボタン３の操作により、ＡＤＬ、画像サイズ若しくは画質の項目に黒枠表示をすることができる。
【００８７】
この状態で、ユーザが十字ボタン３で、撮影範囲をＦＸからＤＸに変更する確定操作を行うと、ＣＰＵ１６（撮影パラメータ設定部１６ａ）は、撮影範囲をＦＸからＤＸに変更した撮影パラメータをユーザ入力により設定する。これにより、上述した例で言うと、変更後の撮影パラメータの設定値は、画像フォーマットの設定値：Ｊｐｅｇ、画質の設定値：Ｎｏｒｍａｌ、画像サイズの設定値：Ｍ、ＡＤＬの設定値：Ｏｎ、ノイズ低減の設定値：Ｏｆｆ、撮影範囲の設定値：ＤＸとなる。そして、連続撮影可能枚数は、１３枚から１８枚になる。
【００８８】
以上より、第１実施形態の電子カメラ１によれば、例えば、図１の設定画面の状態で、撮影可能枚数が残り６枚という状況下で、撮影枚数をユーザが増やしたい場合には、図１３に示す設定画面に切り替えることができる。これにより、ユーザは、どの撮影パラメータを１つ変更すればよいかを知ることができる。つまり、第１実施形態の電子カメラ１によれば、現在設定している撮影パラメータを維持しつつ、撮影可能枚数や連続撮影可能枚数をユーザの意図する枚数になるように容易に変更できる。
【００８９】
また、撮影可能枚数算出部１６ｃが、第１〜第４の一覧表を採用することにより、撮影可能枚数や連続撮影可能枚数を算出する演算処理を高めることができる。
【００９０】
また、表示制御部１６ｄが、第１〜第３の表示手段の出力を設定画面に併せて表示させるので、ユーザにとって、直感的にわかりやすいユーザインターフェースが提供される。
【００９１】
また、撮影可能枚数算出部１６ｃが、第３の一覧表や第４の一覧表の項目を、昇順若しくは降順に並べ替え、現在の撮影可能枚数や連続撮影可能枚数よりも多い枚数の項目を抽出する。これにより、表示制御部１６ｄは、第３の表示手段により設定画面にユーザの意図する枚数を容易に表示させることができる。
【００９２】
なお、上述した例では、撮影可能枚数や連続撮影可能枚数を増やす場合について、説明した。この説明は一例であって、ユーザが画質を上げたいと考え、撮影可能枚数を減らす場合にも適用することができる。
【００９３】
また、図９のフローチャートでは、ユーザが、電源をＯｎした後、十字ボタン３で撮影可能枚数を設定するモードを選択した場合について適用したが、例えば、撮影後や記録媒体１９を電子カメラ１に装填した場合に、図９のフローチャートを実行してもよい。
【００９４】
次に、第１実施形態の第１の変形例について説明する。
【００９５】
第１の変形例では、撮影可能枚数算出部１６ｃは、第３の一覧表を参照し、ユーザ入力により指定された撮影可能枚数の値以上の撮影可能枚数を抽出する。
【００９６】
図１６は、ユーザ入力により撮影可能枚数を選択するための撮影可能枚数選択画面の一例を説明する図である。図１６の表示モニタ１７の設定画面に示すように、現在の撮影パラメータの設定値は、画像フォーマット：Ｒａｗ、画質：Ｆｉｎｅ、画像サイズ：Ｌ、ＡＤＬ：Ｏｎ、ノイズ低減：Ｏｎ、撮影範囲：ＦＸである。この状態で、ユーザが、十字ボタン３で撮影可能枚数を２枚から４枚に変更して確定操作をすると、撮影可能枚数算出部１６ｃは、先ず、図７の第１の一覧表を参照する。続いて、撮影可能枚数算出部１６ｃは、撮影パラメータを１つ変更したときの撮影可能枚数が４枚以上の撮影パラメータの組を抽出して、上述したフローチャートの処理にしたがって、第３の一覧表に項目を追加していく。そして、表示制御部１６ｄは、撮影可能枚数が４枚以上の場合について設定画面に表示する。図１６の設定画面において、黒枠１７ａで囲まれている撮影パラメータ（画質）を、ＦｉｎｅからＮｏｒｍａｌに変更すると、現在の撮影可能枚数が２枚から４枚に増やすことができる。したがって、ユーザが図１に示す十字ボタン３で確定操作を行うと、撮影可能枚数は、４枚になる。以上の説明は、撮影可能枚数について説明したが、連続撮影可能枚数についても同様にして、枚数を増やすことができる。
【００９７】
以上より、第１の変形例の電子カメラ１によれば、ユーザの手入力によって撮影可能枚数や連続撮影可能枚数を指定することによっても、現在設定している撮影パラメータを維持しつつ、撮影可能枚数や連続撮影可能枚数をユーザの意図する枚数になるように容易に変更できる。
【００９８】
また、表示制御部１６ｄは、第３の一覧表を設定画面として表示し、撮影可能枚数をユーザ入力により設定させたり、第４の一覧表を設定画面として表示し、撮影可能枚数をユーザ入力により設定させてもよい。
（第２実施形態）
次に、本発明の第２実施形態について説明する。本発明の第２実施形態では、撮影可能枚数算出部１６ｃは、第３の一覧表を参照し、現在の撮影可能枚数と同じ枚数の撮影可能枚数を抽出する。また、撮影可能枚数算出部１６ｃは、第４の一覧表を参照し、第４の一覧表を参照し、現在の連続撮影可能枚数と同じ枚数の連続撮影可能枚数を抽出する。
【００９９】
なお、本発明の第１実施形態と本発明の第２実施形態とでは、同じ要素については同じ符号を付して説明を省略する。
【０１００】
ここで、撮影可能枚数や連続撮影可能枚数において、撮影パラメータによっては、その撮影パラメータを変更しても撮影可能枚数や連続撮影可能枚数が変更しないで済む場合がある。この場合、撮影可能枚数や連続撮影可能枚数を優先したいユーザにとっては、この機能があると、撮影パラメータの変更を躊躇することなくすることができる。以下、連続撮影可能枚数を例にして具体的に説明する。
【０１０１】
図１７は、第２実施形態における電子カメラ１の内部処理の動作を表すフローチャートである。この場合、電子カメラ１の内部処理は、連続撮影可能枚数の選択画面を表示するまでの動作を行う。このフローチャートは、ユーザが図１に示す十字ボタン３で連続撮影可能枚数を設定するモードを選択した後に開始する。
【０１０２】
ステップＳ３０１：ＣＰＵ１６は、現在設定されている複数の撮影パラメータの設定値を取得して、ＲＡＭ１３に一時記録する。ここでは、一例として、現在設定されている撮影パラメータの設定値は、画像フォーマットの設定値：Ｊｐｅｇ、画質の設定値：Ｎｏｒｍａｌ、画像サイズの設定値：Ｍ、ＡＤＬの設定値：Ｏｎ、ノイズ低減の設定値：Ｏｆｆ、撮影範囲の設定値：ＦＸとする。
【０１０３】
ステップＳ３０２：ＣＰＵ１６（撮影可能枚数算出部１６ｃ）は、複数の撮影パラメータの内、１つの撮影パラメータを変更対象として選択する。
【０１０４】
ステップＳ３０３：ＣＰＵ１６は、全ての撮影パラメータについてチェックしたかの判定を行う。全てチェックした場合（ステップＳ３０３：Ｙｅｓ）、この処理ルーチンは、ステップＳ３０４に進む。一方、全てチェックしていない場合（ステップＳ３０３：Ｎｏ）、この処理ルーチンは、ステップＳ３０７に進む。ここでは、説明の便宜上、先にステップＳ３０７〜ステップＳ３１０の処理について説明する。
【０１０５】
ステップＳ３０７：ＣＰＵ１６（撮影可能枚数算出部１６ｃ）は、変更対象の撮影パラメータの設定値における項目を順次変更する。
【０１０６】
ステップＳ３０８：ＣＰＵ１６は、変更対象の撮影パラメータにおける現在の設定値以外の設定値について、全ての設定値の項目を変更したか否かの判定を行う。全ての設定値の項目を変更していない場合（ステップＳ３０８：Ｎｏ）、この処理ルーチンは、ステップＳ３０９に進む。
【０１０７】
ステップＳ３０９：ＣＰＵ１６（撮影可能枚数算出部１６ｃ）は、図８に示す第２の一覧表を参照し、例えば、画像サイズをＭからＬにして、他の撮影パラメータは変更しない場合における連続撮影可能枚数を取得する。この場合、連続撮影可能枚数は２３枚となる。
【０１０８】
そこで、撮影可能枚数算出部１６ｃは、撮影パラメータの組として、画像サイズをＭからＬに変更した場合のみの撮影パラメータの組（画像フォーマット：Ｊｐｅｇ、画質：Ｎｏｒｍａｌ、画像サイズ：Ｌ、ＡＤＬ：Ｏｎ、ノイズ低減：Ｏｆｆ、撮影範囲：ＦＸ）と、連続撮影可能枚数（２３枚）とを図１８に示す第４の一覧表の項目に追加する。
【０１０９】
図１８は、第４の一覧表の一例を説明する図である。
【０１１０】
なお、図１８は、ステップＳ３０３にて、全ての撮影パラメータについてチェックし終えた後の状態を示している。なお、説明をわかりやすくするため、現在の撮影パラメータの設定値についても併せて表記している。
【０１１１】
ステップＳ３１０：撮影可能枚数算出部１６ｃが、変更した場合の撮影パラメータの組及び連続撮影可能枚数の項目を図１８に示す第４の一覧表の項目に追加すると、再び、この処理ルーチンは、ステップＳ３０７に戻る。ステップＳ３０７では、撮影可能枚数算出部１６ｃは、画像サイズの設定値をＭからＳに変更する。そして、ステップＳ３０８に進み、この場合は、画像サイズ（Ｓ）については、まだチェックし終えていないため、ステップＳ３０９に進む。
【０１１２】
ステップＳ３０９では、撮影可能枚数算出部１６ｃは、図８に示す第２の一覧表を参照し、画像サイズＳにして、他の撮影パラメータは変更しない場合における連続撮影可能枚数を取得する。この場合、連続撮影可能枚数は２３枚となる。そこで、撮影可能枚数算出部１６ｃは、撮影パラメータの組として、画像サイズをＭからＳに変更した場合のみの撮影パラメータの組（画像フォーマット：Ｊｐｅｇ、画質：Ｎｏｒｍａｌ、画像サイズ：Ｓ、ＡＤＬ：Ｏｎ、ノイズ低減：Ｏｆｆ、撮影範囲：ＦＸ）と、連続撮影可能枚数（２３枚）との項目を図１８に示す第４の一覧表の項目に追加する。そして、この処理ルーチンは、ステップＳ３０７に戻る。
【０１１３】
ステップＳ３０７では、撮影可能枚数算出部１６ｃは、変更する設定値の項目はないため、ステップＳ３０８に進み、変更対象となる全ての設定値の項目（画像サイズ）を変更したため（ステップＳ３０８：Ｙｅｓ）、この処理ルーチンは、ステップＳ３１０に進む。
【０１１４】
ステップＳ３１０：ＣＰＵ１６は、ＲＡＭ１３に一時記録している第２の一覧表を作成（算出）開始時の撮影パラメータの設定値に戻す。
【０１１５】
ＣＰＵ１６は、１つの撮影パラメータをチェックし終えたので、この処理ルーチンは、ステップＳ３０２に戻る。ステップＳ３０２では、変更するパラメータとして、画像サイズ以外の撮影パラメータ（画像フォーマット、画質、ＡＤＬ、ノイズ低減、撮影範囲）の内、１つを選択して、画像サイズの場合と同様、ステップＳ３０３、ステップ３０７〜ステップＳ３１０の処理を行う。このようにして、全ての撮影パラメータについて、チェックが終了すると（ステップＳ３０３：Ｙｅｓ）、この処理ルーチンは、ステップＳ３０４に進む。この場合、図１８に示した第４の一覧表が作成（算出）される。
【０１１６】
ステップＳ３０４：ＣＰＵ１６（撮影可能枚数算出部１６ｃ）は、作成された第４の一覧表において、現在の撮影パラメータの設定値よりもレベルが下がる組を削除する。
【０１１７】
図１９は、ステップＳ３０４の処理を施した後における第４の一覧表の図である。なお、説明の便宜上、現在の撮影パラメータも併せて表記している。
【０１１８】
ステップＳ３０５：ＣＰＵ１６（撮影可能枚数算出部１６ｃ）は、図１９を参照し、現在の連続撮影可能枚数と同じ枚数の項目を抽出する。この場合、現在の連続撮影可能枚数が２３枚であるため、図２０に示すように、２３枚以外の項目は削除される。
【０１１９】
図２０は、現在の連続撮影可能枚数の項目を列挙した図である。なお、説明の便宜上、現在の撮影パラメータも併せて表記している。
【０１２０】
ステップＳ３０６：ＣＰＵ１６（表示制御部１６ｄ）は、図２０の点線枠で囲った項目を抽出し、変更対象の撮影パラメータの設定値と、変更後における連続撮影可能枚数のみを表示モニタ１７の設定画面（図２１）に表示させる。そして、図１７に示す処理ルーチンは終了する。
【０１２１】
図２１は、撮影パラメータの設定値のレベルを向上させるための設定画面の一例を説明する図である。この場合、連続撮影可能枚数を同じ枚数で維持しつつ撮影パラメータの設定値のレベルを向上させることができる。
【０１２２】
ここで、ユーザによっては、撮影パラメータの設定値を変更するのに、連続撮影可能枚数が変化しないことに不思議に思う場合も想定される。そこで、ユーザが、図１に示すヘルプボタン５を押下すると、表示制御部１６ｄは、一例として、図２２に示す設定画面に切り替える。
【０１２３】
図２２は、ガイド機能によりユーザに報知する設定画面の一例を説明する図である。表示制御部１６ｄは、図２２に示す内容のガイドを表示させるため、ユーザは、撮影パラメータの設定値を変更するのに、撮影可能枚数が維持できることを知ることができる。そして、ユーザが、再度、ヘルプボタン５を押下すると、表示制御部１６ｄは、再び、図２１に示す設定画面に切り替える。
【０１２４】
図２１に示す設定画面において、黒枠１７ａ内が現在、ユーザが変更可能な状態を表している。この状態で、ユーザが図１に示す十字ボタン３で、画質の設定値をＮｏｒｍａｌからＦｉｎｅに変更する確定操作を行うと、ＣＰＵ１６（撮影パラメータ設定部１６ａ）は、画質の設定値をＮｏｒｍａｌからＦｉｎｅに変更した撮影パラメータをユーザ入力により設定する。これにより、上述した例で言うと、変更後の撮影パラメータの設定値は、画像フォーマットの設定値：Ｊｐｅｇ、画質の設定値：Ｆｉｎｅ、画像サイズの設定値：Ｍ、ＡＤＬの設定値：Ｏｆｆ、ノイズ低減の設定値：Ｏｎ、撮影範囲の設定値：ＦＸとなる。ただし、連続撮影可能枚数は、２３枚を維持することができる。
【０１２５】
以上の説明では、連続撮影可能枚数を例にして説明した。次に、撮影可能枚数を例にして説明する。
【０１２６】
図２３は、撮影パラメータの設定値のレベルを向上させるための設定画面の一例を説明する図である。この場合、撮影可能枚数を同じ枚数で維持しつつ撮影パラメータの設定値のレベルを向上させることができる。図２３の表示モニタ１７の設定画面において、黒枠１７ａ内が現在、ユーザが変更可能な状態を表している。この状態で、ユーザが図１に示す十字ボタン３で、ＡＤＬの設定値をＯｆｆからＯｎに変更する確定操作を行うと、ＣＰＵ１６（撮影パラメータ設定部１６ａ）は、ＡＤＬの設定値をＯｆｆからＯｎに変更した撮影パラメータをユーザ入力により設定する。これにより、上述した例で言うと、変更後の撮影パラメータの設定値は、画像フォーマットの設定値：Ｊｐｅｇ、画質の設定値：Ｎｏｒｍａｌ、画像サイズの設定値：Ｍ、ＡＤＬの設定値：Ｏｎ、ノイズ低減の設定値：Ｏｆｆ、撮影範囲の設定値：ＦＸとなる。ただし、撮影可能枚数は、６枚を維持することができる。
【０１２７】
以上より、第２実施形態の電子カメラ１によれば、現在設定している撮影パラメータを維持しつつ、撮影可能枚数や連続撮影可能枚数をユーザの意図する枚数になるように容易に変更できる。また、ユーザは、撮影可能枚数や連続撮影可能枚数を損なうことなく、撮影パラメータの設定値のレベルを上げることができる。
【０１２８】
＜実施形態の補足事項＞
（１）上述した実施形態では、説明をわかりやすくするため、静止画の撮影可能枚数や連続撮影可能枚数について説明した。なお、ＣＰＵ１６は、記録媒体１９の残容量に応じて、動画撮影時における残りの撮影記録時間を算出して、例えば、動画撮影用に用いられる複数の撮影パラメータの内、１つの撮影パラメータを変えた場合の撮影記録時間を設定画面に表示させるようにしてもよい。この場合の撮影パラメータとしては、例えば、動画記録形式のフォーマット、フレームレート、フレームサイズ等、通常動画撮影に採用される撮影パラメータであってよい。そして、動画撮影の際、電子カメラ１が、現在設定している撮影パラメータを維持しつつ、動画の記録時間をユーザの意図する時間に容易に変更させるようにしてもよい。
（２）上述した実施形態における表示モニタ１７の設定画面の表示態様は、一例であって、これらに限定されるものではない。例えば、表示制御部１６ｄは、図１２の第３の一覧表、図２０の第４の一覧表などを直接表示させて、ユーザ入力により撮影可能枚数や連続撮影可能枚数を設定できるようにしてもよい。
【図面の簡単な説明】
【０１２９】
【図１】第１実施形態の電子カメラ１の背面図
【図２】撮影パラメータと各設定値との関係を示す図
【図３】第１実施形態の電子カメラ１の構成を示すブロック図
【図４】撮影パラメータの設定における電子カメラ１の内部処理の動作を表すフローチャート
【図５】第１の一覧表の一例を説明する図
【図６】第１の一覧表の一例を説明する図
【図７】第１の一覧表の一例を説明する図
【図８】第２の一覧表の一例を説明する図
【図９】撮影可能枚数の選択画面を表示するまでの電子カメラ１の内部処理の動作を表すフローチャート
【図１０】第３の一覧表の一例を説明する図
【図１１】第３の一覧表を降順に並べ替えた場合の図
【図１２】現在の撮影可能枚数より多い撮影可能枚数の項目を列挙した図
【図１３】撮影可能枚数を選択するための撮影可能枚数選択画面の一例を説明する図
【図１４】第４の一覧表の一例を説明する図
【図１５】連続撮影可能枚数を選択するための連続撮影可能枚数選択画面の一例を説明する図
【図１６】ユーザ入力により撮影可能枚数を選択するための撮影可能枚数選択画面の一例を説明する図
【図１７】第２実施形態における電子カメラ１の内部処理の動作を表すフローチャート
【図１８】第４の一覧表の一例を説明する図
【図１９】ステップＳ３０４の処理を施した後における第４の一覧表の図
【図２０】現在の連続撮影可能枚数の項目を列挙した図
【図２１】撮影パラメータの設定値のレベルを向上させるための設定画面の一例を説明する図
【図２２】ガイド機能によりユーザに報知する設定画面の一例を説明する図
【図２３】撮影パラメータの設定値のレベルを向上させるための設定画面の一例を説明する図
【符号の説明】
【０１３０】
１・・・電子カメラ、１６ａ・・・撮影パラメータ設定部、１６ｂ・・・残容量算出部、１６ｃ・・・撮影可能枚数算出部、１６ｄ・・・表示制御部、１７・・・表示モニタ
【図１】
2010074620.tif 000003
【図２】
2010074620.tif 000004
【図３】
2010074620.tif 000005
【図４】
2010074620.tif 000006
【図５】
2010074620.tif 000007
【図６】
2010074620.tif 000008
【図７】
2010074620.tif 000009
【図８】
2010074620.tif 000010
【図９】
2010074620.tif 000011
【図１０】
2010074620.tif 000012
【図１１】
2010074620.tif 000013
【図１２】
2010074620.tif 000014
【図１３】
2010074620.tif 000015
【図１４】
2010074620.tif 000016
【図１５】
2010074620.tif 000017
【図１６】
2010074620.tif 000018
【図１７】
2010074620.tif 000019
【図１８】
2010074620.tif 000020
【図１９】
2010074620.tif 000021
【図２０】
2010074620.tif 000022
【図２１】
2010074620.tif 000023
【図２２】
2010074620.tif 000024
【図２３】
2010074620.tif 000025